(57)【要約】【課題】  プロジェクタユニットの小型化を行うことにより、装置本体内部が省スペース化された、プロジェクタユニットを備える撮像装置を提供する。【解決手段】  画像の投影を行う投影レンズ５４を有する投影ユニット２８と、投影レンズ５４を、前記画像の投影を行わない第１の位置と、前記画像の投影を行う第２の位置との間を移動させる移動機構６０，６２，６４とを備える。【選択図】  図５
2009284279.tif 000002
【特許請求の範囲】
【請求項１】
画像の投影を行う投影レンズを有する投影ユニットと、
前記投影レンズを、前記画像の投影を行わない第１の位置と、前記画像の投影を行う第２の位置との間を移動させる移動機構と
を備えることを特徴とする電子機器。
【請求項２】
前記移動機構は、
前記投影ユニットにより前記画像の投影を行う投影モードが選択された場合に、前記投影レンズを前記第２の位置に移動させることを特徴とする請求項１記載の電子機器。
【請求項３】
前記移動機構により前記投影レンズを前記第２の位置に移動させた場合に、前記投影ユニットにより前記画像の投影を行う投影モードを選択することを特徴とする請求項１記載の電子機器。
【請求項４】
被写体を撮像する撮像素子を有する撮像ユニットと、
画像の投影を行う投影レンズを有する投影ユニットと、
前記投影レンズを、前記撮像ユニットにより前記被写体の撮像を行う際に第１の位置に移動させ、前記投影ユニットにより前記画像の投影を行う際に第２の位置に移動させる移動機構と
を備えることを特徴とする撮像装置。
【請求項５】
前記移動機構は、
前記投影ユニットにより前記画像の投影を行う投影モードが選択された場合に、前記投影レンズを前記第２の位置に移動させることを特徴とする請求項４記載の撮像装置。
【請求項６】
前記移動機構は、
前記撮像ユニットにより前記被写体を撮像する撮像モードが選択された場合に、前記投影レンズを前記第１の位置に移動させることを特徴とする請求項４または５記載の撮像装置。
【請求項７】
前記移動機構により前記投影レンズを前記第２の位置に移動させた場合に、前記投影ユニットにより前記画像の投影を行う投影モードを選択することを特徴とする請求項４記載の撮像装置。
【請求項８】
前記移動機構により前記投影レンズを前記第１の位置に移動させた場合に、前記撮像ユニットにより前記被写体を撮像する撮像モードを選択することを特徴とする請求項４または７記載の撮像装置。
【発明の詳細な説明】
【技術分野】
【０００１】
本発明は、電子機器及び撮像装置に関するものである。
【背景技術】
【０００２】
プロジェクタユニットを備える撮像装置が知られている（例えば、特許文献１参照）。このような撮像装置においては、プロジェクタ機能を用いることにより、撮像画像を多くの人が一度に楽しむことができる。また、小さいスペースにプロジェクタユニット及び撮像ユニットを収納することで、小型で携帯性に優れるものとすることができる。
【特許文献１】特開２００５−２５０３９２号公報
【発明の開示】
【発明が解決しようとする課題】
【０００３】
ところで、プロジェクタユニットの投影レンズは、光源や偏光ビームスプリッタ（ＰＢＳ）に対して所定の距離だけ離れて設置される必要があるため、プロジェクタユニットを内蔵する撮像装置の本体内部の省スペース化は困難であった。
【０００４】
本発明の目的は、プロジェクタユニットの小型化を行うことにより、装置本体内部が省スペース化されたプロジェクタユニットを備える電子機器及び撮像装置を提供することである。
【課題を解決するための手段】
【０００５】
本発明の電子機器は、画像の投影を行う投影レンズを有する投影ユニットと、前記投影レンズを、前記画像の投影を行わない際の第１の位置と、前記画像の投影を行う際の第２の位置との間を移動させる移動機構とを備えることを特徴とする。
【０００６】
また、本発明の撮像装置は、被写体を撮像する撮像素子を有する撮像ユニットと、画像の投影を行う投影レンズを有する投影ユニットと、前記投影レンズを、前記投影ユニットにより前記画像の投影を行わない際の第１の位置と、前記画像の投影を行う際の第２の位置との間を移動させる移動機構とを備えることを特徴とする。
【発明の効果】
【０００７】
本発明の電子機器及び撮像装置によれば、画像の投影を行うときと、画像の投影を行わないときとで移動可能な投影レンズを有するプロジェクタユニットを備えているため、装置本体内部を省スペース化できる。従って、装置本体を更に小型化することができる。
【発明を実施するための最良の形態】
【０００８】
以下、図面を参照して本発明の第１の実施の形態に係るカメラについて説明する。図１は、この実施の形態に係るカメラの外観を示す斜視図である。カメラ２は、金属やプラスチック等からなる筐体４を備え、前面には撮影窓６及びフラッシュ光が射出されるフラッシュ窓８が設けられている。また、カメラ２の上面には、電源スイッチ１０、レリーズ動作を指示するシャッタボタン１２、カメラ撮影を行う撮像モードとプロジェクタ投影を行う投影モードとを切り替えるモード切替スイッチ１４が設けられている。また、カメラ２の上面には開口１６が設けられており、筐体４内に収納されているプロジェクタユニット２８（図４参照）の投影レンズ室５０（図５参照）の一部を画像の投影を行う際に突出させる。図１に示されるような、画像の投影を行っていない状態では、投影レンズ室５０は筐体４の内部に収納されており、投影レンズ室５０の上面５２のみが開口１６から露出した状態になっている。上面５２は、カメラ２の上部と略平坦となるように位置しており、開口１６を閉塞するバリアの機能を有している。
【０００９】
また、図２は、この実施の形態に係るカメラにおいて、画像の投影を行っているときのカメラの外観を示す斜視図である。カメラ２において画像の投影を行う際には、投影レンズ室５０の一部が開口１６から突出し、投影レンズ室５０の前面に設けられた投影窓５８が完全に露出する。従って、プロジェクタユニット２８により所定の画像をカメラ２の前方向へ投影することができる。
【００１０】
図３は、実施の形態に係るカメラの背面の構成を示す図である。カメラ２の背面には、撮影条件、撮像モード等を表示するメニュー画面や撮影画像の表示を行うＬＣＤパネル２０及びＬＣＤパネル２０に表示されるメニュー画面の項目選択に使用する操作部２２が設けられている。
【００１１】
図４は、実施の形態に係るカメラ内部に収納された各ユニットの配置を示す正面図である。カメラ２の筐体４の内部には、被写体を撮像するための撮像素子を有する撮像ユニット２６、画像を投影するための光学系等を有するプロジェクタユニット２８、撮像ユニット２６及びプロジェクタユニット２８に電力を供給するバッテリを収容する電池室３０が設けられている。
【００１２】
図５は、実施の形態に係るプロジェクタユニット２８において、画像の投影を行っていない状態の構成を示す断面図、即ち、プロジェクタユニット２８の投影レンズ室５０が、第１の位置にあるときの構成を示す断面図である。なお、図５は、カメラ２を正面から見たときの断面図である。プロジェクタユニット２８のユニットケース３２の内部には、ユニットケース３２に対して固定された光源室３４が設置される。また、ユニットケース３２内に設けられた内壁３３ａ、３３ｂによって形成される空間内には、当該空間内を上下方向に移動して、ユニットケース３２の上面に設けられた開口３２ａより出没可能に設けられた投影レンズ室５０が設置される。図５に示されるように、投影レンズ室５０がユニットケース３２に収納された第１の位置に位置している場合には、開口３２ａと略同一の形状を有する投影レンズ室５０の上面５２は、開口３２ａを閉塞すると共に、カメラ２の筐体４の開口１６も閉塞している。
【００１３】
光源室３４の内部には、光源であるＬＥＤ（発光ダイオード）３６、ＬＥＤ３６から射出される光を略平行とするための集光レンズ３８及び入射した光をＰ偏光成分の光とＳ偏光成分の光とに分離するＰＢＳ（偏光ビームスプリッタ）４０が配置されている。なお、ＰＢＳ４０の図５における下面４０ａには黒色処理等の無反射処理が施されている。また、光源室３４のＬＥＤ３６に対向する壁面には、プロジェクタユニット２８により投影される画像を表示するＬＣＯＳ（反射型液晶素子）４２が設けられている。
【００１４】
投影レンズ室５０の内部には、画像を投影する投影レンズ５４及び投影レンズ５４から射出された画像の投影方向を偏向させるプリズム５６が配置されている。また、投影レンズ室５０の前面には、プリズム５６によって投影方向が偏向された画像を所定の投影面に投影する投影窓５８（図２参照）が設けられている。
【００１５】
プロジェクタユニット２８においては、光源であるＬＥＤ３６から射出された光は、集光レンズ３８により略平行光にされた後にＰＢＳ４０に入射し、Ｐ偏光成分の光とＳ偏光成分の光とに分離される。Ｓ偏光成分の光は図５における下方に反射され、ＰＢＳ４０の無反射処理が施された下面４０ａに入射する。一方、Ｐ偏光成分の光は、ＰＢＳ４０を透過し、プロジェクタユニット２８により投影する画像を表示するＬＣＯＳ４２に入射する。ＬＣＯＳ４２に入射した光は、ＬＣＯＳ４２が備える図示しない反射膜により反射され、ＰＢＳ４０に再度入射する。ここで、ＬＣＯＳ４２を構成する図示しない液晶層は、電圧が印加されると入射光に対して位相板として機能する。従って、ＬＣＯＳ４２から射出する光のうち、液晶層により電圧が印加された画素領域を通過した光は、Ｐ偏光成分の光からＳ偏光成分の光に変換される。一方、液晶層により電圧が印加されていない画素領域を通過した光は、Ｐ偏光成分の光として進行する。そして、Ｓ偏光成分とＰ偏光成分との混合光としてＰＢＳ４０に再度入射した光は、ＰＢＳ４０によりＳ偏光成分の光のみが反射される。反射されたＳ偏光成分の光は、投影レンズ室５０内の投影レンズ５４及びプリズム５６を介して、カメラ２の上面に突出している投影窓５８からカメラ２の前方へ投射される。即ち、ＬＣＯＳ４２に表示された画像が投影用画像として読み出され、カメラ２の前方向へ投射される。
【００１６】
投影レンズ室５０の図５における左側の側面には、鉛直方向に伸びるラック６０が設けられており、ユニットケース３２の内壁３３ａに設けられたスリット穴３３ｃを貫通して、ユニットケース３２に設置された駆動モータ６２によって回転駆動されるピニオンギア６４と噛合している。ラック６０、駆動モータ６２及びピニオンギア６４は移動機構を構成しており、駆動モータ６２の回転駆動力がピニオンギア６４を介してラック６０に伝達することにより、投影レンズ室５０は、ユニットケース３２内で上下方向に往復移動を行う。なお、スムーズな往復移動を実現するために、ガイドレール等のガイド手段を適宜設けてもよい。
【００１７】
図６は、実施の形態に係るプロジェクタユニット２８の画像投影時の構成を示す断面図、即ち、投影レンズ室５０が第２の位置にあるときの構成を示す断面図である。なお、図６は、カメラ２を正面から見たときの断面図である。ピニオンギア６４及びラック６０を介して伝達した駆動モータ６２の回転駆動力によって第２の位置まで上昇させられた投影レンズ室５０は、ピニオンギア６４がロックされることで第２の位置に固定される。投影レンズ室５０が第２の位置へ移動すると、投影レンズ５４はＰＢＳ４０から所定の距離だけ離隔されるため、プロジェクタユニット２８によって画像の投影を行うことができる。また、投影レンズ室５０が第２の位置まで移動すると、投影レンズ室５０の投影窓５８は、図２に示されるように、カメラ２の筐体４の開口１６から完全に露出した状態になるため、投影窓５８を介して所定の画像を投影することができる。なお、ＰＢＳ４０から射出された光がスリット穴３３ｃを通過して内壁３３ａ外へ分散するのを防ぐために、伸縮自在の遮蔽材等でスリット穴３３ｃを閉塞することが好ましい。
【００１８】
次に、本実施の形態に係るカメラのシステム構成について説明する。図７は、本実施の形態に係るカメラのシステム構成を示すブロック図である。カメラ２が備える主制御部１００には、主制御部１００への電力供給のＯＮ／ＯＦＦを切り替える電源スイッチ１０、レリーズ動作を指示するシャッタボタン１２、撮像モードと投影モードとを切り替えるモード切替スイッチ１４、ＬＣＤパネル２０に表示されるメニュー画面の操作に用いる操作部２２が接続されている。また、主制御部１００には、ユニットケース３２に設けられた移動機構を駆動して、投影レンズ室５０の移動を制御する移動機構駆動部１１０、光源室３４内のＬＥＤ３６やＬＣＯＳ４２を制御して、プロジェクタユニット２８による画像の投影を制御する投影制御部１２０、図示しない撮像素子や画像データ記憶部等の被写体の撮像に必要な各機能を有する撮像ユニット２６の制御を行う撮像制御部１３０、ＬＣＤパネル２０の表示制御を行うＬＣＤ表示制御部１４０が接続されている。
【００１９】
次に、図８のフローチャートを参照して、カメラ２の使用時に実行される処理について説明する。カメラ２の電源スイッチ１０がＯＦＦの状態では、プロジェクタユニット２８の投影レンズ室５０は、ユニットケース３２内の第１の位置に位置しており、カメラ２の筐体４内に収納されている。
【００２０】
カメラ２の電源スイッチ１０が押下されて電源ＯＮ状態になると（ステップＳ１０）、主制御部１００は、前回の電源ＯＦＦ時に設定されていたモードに関わらず、常に撮像モードを設定する（ステップＳ１１）。撮像モード設定時には、撮像ユニット２６内の撮像素子から出力される撮像信号に基づいて、ＬＣＤパネル２０にスルー画像が表示される。この状態でシャッタボタン１２が操作されると（ステップＳ１２）、撮像制御部１３０により被写体の撮影が行われる（ステップＳ１３）。なお、撮像モード設定時に電源スイッチ１０が押下されると（ステップＳ１４）、主制御部１００は設定の保存等の必要な処理を行った後に電源ＯＦＦ処理を実行する（ステップＳ１５）。
【００２１】
撮像モード設定時にモード切替スイッチ１４が操作されると（ステップＳ１６）、主制御部１００は投影モードを設定する（ステップＳ１７）。投影モードが設定されると、主制御部１００は、移動機構駆動部１１０を駆動させて投影レンズ室５０を第２の位置へ移動させて（ステップＳ１８）、投影レンズ５４を光源室３４内のＰＢＳ４０から所定の距離だけ離隔させる。即ち、駆動モータ６２によってピニオンギア６４が回転駆動され噛合しているラック６０を介して投影レンズ室５０を第２の位置まで上昇移動させる。このようにして投影レンズ室５０の移動が完了すると、投影制御部１２０が光源室３４内のＬＥＤ３６やＬＣＯＳ４２を作動させて、使用者によって選択された画像の投影を行う（ステップＳ１９）。なお、投影モード設定時に電源スイッチ１０が押下されると（ステップＳ２０）、主制御部１００は移動機構駆動部１１０を駆動させて投影レンズ室５０を第１の位置まで移動させる（ステップＳ２１）。即ち、移動機構駆動部１１０は、投影レンズ室５０を上昇移動させたときとは逆方向の回転駆動力を駆動モータ６２に出力させてピニオンギア６４を回転駆動させ、投影レンズ室５０を第１の位置まで下降移動させる。このようにして、投影レンズ室５０がカメラ２の筐体４内に収納されると、主制御部１００は、設定の保存等の必要な処理を実行し、電源ＯＦＦ処理を実行する（ステップＳ２２）。
【００２２】
投影モード設定時にモード切替スイッチ１４が操作されると（ステップＳ２３）、主制御部１００は撮像モードを設定する（ステップＳ２４）。撮像モードが設定されると、主制御部１００は、移動機構駆動部１１０を駆動させて投影レンズ室５０を第１の位置まで移動させ（ステップＳ２５）、カメラ２の筐体４内へ収納する。投影レンズ室５０の収納が完了すると、ＬＣＤパネル２０にスルー画像が表示され、この状態でシャッタボタン１２が操作されると（ステップＳ１２）、被写体の撮影が行われる（ステップＳ１３）。
【００２３】
この第１の実施の形態に係るカメラによれば、画像の投影を行うときに装置本体から突出し、画像の投影を行わないときには装置本体内に収納される投影レンズ室を有するプロジェクタユニットを備えているため、装置本体内部を省スペース化できる。
【００２４】
次に、本発明の第２の実施の形態に係るカメラについて説明する。なお、第２の実施の形態に係るカメラは、プロジェクタユニットが第１の実施の形態と異なる移動機構を備えると共に、モード切替スイッチ１４を備えていない点で、第１の実施の形態に係るカメラとは異なるが、これらの点以外は、第１の実施の形態に係るカメラ２と同一の構成を備えている。したがって、第２の実施の形態の説明においては、第１の実施の形態に係るカメラと同一の構成については説明を省略する。また、この第２の実施の形態に係るカメラの説明においては、第１の実施の形態に係るカメラと同一の構成には第１の実施の形態で用いた符号と同一の符号を付して説明を行なう。
【００２５】
図９は、この実施の形態に係るプロジェクタユニット１２８において、画像の投影を行っていないときの構成を示す断面図、即ち、投影レンズ室５０が、第１の位置にあるときの構成を示す断面図である。なお、図９は、カメラ２を正面から見たときの断面図である。プロジェクタユニット１２８のユニットケース１３２内には、内壁１３３ａ及び１３３ｂによって形成される空間内に投影レンズ室５０が設けられている。投影レンズ室５０の図９における左側の側面には、内壁１３３ａに設けられたスリット穴１３３ｃを貫通するスプリング取付板７２が設けられており、上端がスプリング取付板７２と結合し、下端がユニットケース１３２の一側面から突出するように設けられたスプリングベース７４と結合するスプリング７０が設置されている。また、投影レンズ室５０の図９における右側の側面には、内壁１３３ｂに設けられたスリット穴１３３ｄを貫通する係止爪７６が設けられており、ユニットケース１３２に設置された係止凹部７８に係止されて投影レンズ室５０を第１の位置に固定している。投影レンズ室５０が第１の位置に固定されている場合には、スプリング７０は、スプリング取付板７２及びスプリングベース７４によって圧縮された状態となっている。ここで、係止凹部７８は図示しないセンサなどの検出手段を有し、係止爪７６が係止凹部７８に対して係止されているか否かを検出する。係止爪７６が係止凹部７８に対して係止されていることが検出される場合には、投影レンズ室５０が第１の位置に位置していると判断されて撮像モードが選択される。一方、係止爪７６が係止凹部７８に対して係止されていることが検出されない場合には、投影レンズ室５０が第２の位置に位置していると判断されて投影モードが選択される。
【００２６】
また、係止爪７６と係止凹部７８は、係止爪７６が係止凹部７８内へ若干量押し込まれることによって係止が解除されるような既存のラッチ解除機能を備えている。従って、カメラ２の筐体４の開口１６から露出している投影レンズ室５０の上面５２を下方へ若干量押し込むと、係止爪７６と係止凹部７８との係止を解除することができる。なお、スプリング７０、スプリング取付板７２、スプリングベース７４、係止爪７６、係止凹部７８及びスプリングベース７４の上方に設けられたストッパ８０が移動機構を構成している。なお、スムーズな往復移動を実現するために、ガイドレール等のガイド手段を適宜設けてもよい。
【００２７】
図１０は、この実施の形態に係るプロジェクタユニット１２８の画像投影時の構成を示す断面図、即ち、投影レンズ室５０が第２の位置にあるときの構成を示す断面図である。なお、図１０は、カメラ２を正面から見たときの断面図である。係止爪７６と係止凹部７８との係止が解除された場合には、投影レンズ室５０は、スプリング７０の弾性力によって、ストッパ８０にスプリング取付板７２の上面が接するまで上昇移動する。このとき、投影レンズ室５０の一部はカメラ２の筐体４の開口１６から突出し、図２に示されるような、投影レンズ室５０の投影窓５８が完全に露出した状態になる。このようにして、投影レンズ室５０が第２の位置まで移動した場合には、上述のように、係止凹部７８に設けられたセンサによって係止凹部７８と係止爪７６との係止が検出されなくなるため、投影レンズ室５０は第２の位置へ移動したと判断されて投影モードが選択される。なお、スプリング７０は、投影レンズ室５０を第２の位置まで移動させた後においても依然として自然長よりも圧縮された状態にあるため、弾性力によってスプリング取付板７２をストッパ８０に対して圧接することで、投影レンズ室５０が第２の位置に固定される。投影レンズ室５０が第２の位置まで移動すると、投影レンズ５４はＰＢＳ４０から所定の距離だけ離隔されるため、プロジェクタユニット１２８によって画像の投影を行うことができる。なお、ＰＢＳ４０から射出された光がスリット穴１３３ｃ及び１３３ｄを通過して内壁１３３ａ及び１３３ｂの外へ分散するのを防ぐために、伸縮自在の遮蔽材等でスリット穴１３３ｃ及び１３３ｄを閉塞することが好ましい。
【００２８】
次に、この実施の形態に係るカメラの操作について説明する。カメラ２の電源がＯＦＦ状態では、プロジェクタユニット１２８の投影レンズ室５０は、カメラ２の筐体４内に収納されている。即ち、投影レンズ室５０は、係止爪７６と係止凹部７８との係止によって第１の位置に固定されている。カメラ２の電源スイッチ１０が押下されて電源ＯＮ状態になると、係止凹部７８に設けられたセンサによって係止爪７６が係止されていることが検出されて撮像モードが設定される。撮像モード設定時には、ＬＣＤパネル２０にスルー画像が表示され、この状態でシャッタボタン１２が操作されると、撮像制御部１３０によって被写体の撮影が行われる。
【００２９】
画像の投影を行う場合には、使用者は、カメラ２の上面に露出している投影レンズ室５０の上面５２を下方へ押し込んで係止爪７６と係止凹部７８との係止を解除して、投影レンズ室５０の投影窓５８を開口１６から突出させる。このとき、係止凹部７８に設けられたセンサによって係止凹部７８と係止爪７６との係止が解除されたことが検出されると、投影レンズ室５０が第２の位置へ移動したと判断されて投影モードが設定される。投影モード設定時には、投影制御部１２０によって画像の投影が行われる。そして、画像の投影を終了して撮像モードに切り替える場合には、使用者は、カメラ２の上面に突出している投影レンズ室５０を下方へ押し込んでカメラ２内に収納し、係止爪７６と係止凹部７８とを係止させる。このとき、係止凹部７８に設けられたセンサによって係止凹部７８と係止爪７６とが係止されていることが検出され、再び撮像モードが設定される。即ち、この実施の形態に係るカメラにおいては、投影レンズ室５０を第１の位置から第２の位置へ移動させると、投影モードが設定されて画像の投影を行うことができ、投影レンズ室５０を第２の位置から第１の位置へ移動させると、撮像モードが設定されて画像の撮影を行うことができる。
【００３０】
なお、電源ＯＮ時に電源スイッチ１０が押下されると、主制御部１００によって終了処理が実行された後に電源ＯＦＦ処理が行われる。投影モード設定時に終了した際には、カメラ２の上面から突出している投影レンズ室５０の収納は手動で行う。
【００３１】
この第２の実施の形態に係るカメラによれば、画像の投影を行うときに装置本体から突出し、画像の投影を行わないときには装置本体内に収納される投影レンズ室を有するプロジェクタユニットを備えているため、装置本体内部を省スペース化できる。また、プロジェクタユニットの投影窓をカメラの上面から突出させると、即ち、投影レンズ室を第２の位置へ移動させると投影モードが選択され、投影窓をカメラの筐体内に収納すると、即ち、投影レンズ室を第１の位置へ移動させると撮像モードが選択されるため、カメラの操作をより簡便にすることができる。
【００３２】
次に、本発明の第３の実施の形態に係るカメラについて説明する。なお、第３の実施の形態に係るカメラは、第２の実施の形態のプロジェクタユニットとは異なる構成のプロジェクタユニットを有し、当該プロジェクタユニットの投影レンズ室がカメラの前面から突出する点で、第２の実施の形態に係るカメラとは異なるが、これらの点以外は、第２の実施の形態に係るカメラ２と同一の構成を備えている。したがって、第３の実施の形態の説明においては、第２の実施の形態に係るカメラと同一の構成については説明を省略する。また、この第３の実施の形態に係るカメラの説明においては、第２の実施の形態に係るカメラと同一の構成には第２の実施の形態で用いた符号と同一の符号を付して説明を行なう。
【００３３】
図１１は、この実施の形態に係るカメラの外観を示す斜視図である。カメラ２００の前面からは、筐体２０４内に収納された後述するプロジェクタユニット２２８の投影レンズ室２５０の一部が突出しており、投影レンズ室２５０の前端には、投影窓２５８が設けられている。また、図１２は、この実施の形態に係るカメラの画像投影時の外観を示す斜視図である。プロジェクタユニット２２８が使用される場合には、投影レンズ室２５０は、更にカメラ２００の前方に突出する。
【００３４】
図１３は、この実施の形態に係るプロジェクタユニット２２８において、画像の投影を行っていないときの構成を示す断面図、即ち、プロジェクタユニット２２８が備える投影レンズ室２５０が、第１の位置にあるときの構成を示す断面図である。なお、図１３は、カメラ２００を上面方向から見たときの断面図である。プロジェクタユニット２２８のユニットケース２３２内には、内壁２３３ａ及び２３３ｂによって形成される空間内に投影レンズ室２５０が設けられ、投影レンズ室２５０は、投影レンズ２５４と投影窓２５８を有しており画像をカメラ２００の前方へ投影する。投影レンズ室２５０の図１３における左側には、スプリング２７０、内壁２３３ａに設けられたスリット穴２３３ｃを貫通するスプリング取付板２７２及びスプリングベース２７４が配置される。また、投影レンズ室２５０の図１３における右側には、内壁２３３ｂに設けられたスリット穴２３３ｄを貫通する係止爪２７６及び係止凹部２７８が配置されており、投影レンズ室２５０を第１の位置に固定している。ここで、係止凹部２７８は図示しないセンサなどの検出手段を有し、係止爪２７６が係止凹部２７８に対して係止されているか否かを検出する。係止爪２７６が係止凹部２７８に対して係止されていることが検出される場合には、投影レンズ室２５０が第１の位置に位置していると判断されて撮像モードが選択される。一方、係止爪２７６が係止凹部２７８に対して係止されていることが検出されない場合には、投影レンズ室２５０が第２の位置に位置していると判断されて投影モードが選択される。
【００３５】
また、係止爪２７６と係止凹部２７８は、係止爪２７６が係止凹部２７８内へ若干量押し込まれることによって係止が解除されるような既存のラッチ解除機能を備えている。従って、カメラ２００の筐体２０４から突出している投影レンズ室２５０を後方へ若干量押し込むと、係止爪２７６と係止凹部２７８との係止を解除することができる。なお、スプリング２７０、スプリング取付板２７２、スプリングベース２７４、係止爪２７６、係止凹部２７８及びスプリングベース２７４の前方に設けられているストッパ２８０が移動機構を構成する。なお、スムーズな往復移動を実現するために、ガイドレール等のガイド手段を適宜設けてもよい。
【００３６】
図１４は、この実施の形態に係るプロジェクタユニット２２８の画像投影時の構成を示す断面図、即ち、投影レンズ室２５０が第２の位置にあるときの構成を示す断面図である。なお、図１４は、カメラ２００を上面方向から見たときの断面図である。係止爪２７６と係止凹部２７８との係止が解除された場合には、投影レンズ室２５０は、スプリング２７０の弾性力によって、ストッパ２８０にスプリング取付板２７２の前面が接するまで移動する。このとき、投影レンズ室２５０の一部はカメラ２００の前面から更に突出し、図１２に示されるような状態になる。このようにして、投影レンズ室２５０が第２の位置まで移動した場合には、上述のように、係止凹部２７８に設けられたセンサによって係止凹部と係止爪２７６との係止が検出されなくなるため、投影レンズ室２５０は第２の位置へ移動したと判断されて投影モードが選択される。なお、スプリング２７０は、弾性力によってスプリング取付板２７２をストッパ２８０に対して圧接し、投影レンズ室２５０が第２の位置に固定される。投影レンズ室２５０が第２の位置まで移動すると、投影レンズ２５４はＰＢＳ４０から所定の距離だけ離隔されるため、プロジェクタユニット２２８によって画像の投影を行うことができる。なお、ＰＢＳ４０から射出された光がスリット穴２３３ｃ及び２３３ｄを通過して内壁２３３ａ及び２３３ｂの外へ分散するのを防ぐために、伸縮自在の遮蔽材等でスリット穴２３３ｃ及び２３３ｄを閉塞することが好ましい。
【００３７】
次に、この実施の形態に係るカメラの操作について説明する。カメラ２００の電源スイッチ２１０が押下されて電源ＯＮ状態になると、係止凹部２７８に設けられたセンサによって係止爪２７６が係止されていることが検出されて撮像モードが設定される。画像の投影を行う場合には、カメラ２００の前面から突出している投影レンズ室２５０を後方へ押し込んで係止爪２７６と係止凹部２７８との係止を解除して投影レンズ室２５０を更に突出させる。このとき、係止凹部２７８に設けられたセンサによって係止凹部２７８と係止爪２７６との係止が解除されたことが検出されると、投影レンズ室２５０が第２の位置へ移動したと判断されて投影モードが設定される。そして、画像の投影を終了して撮像モードに切り替える場合には、投影レンズ室２５０を後方へ押し込んで係止爪２７６と係止凹部２７８とを係止させる。このとき、係止凹部２７８に設けられたセンサによって係止凹部２７８と係止爪２７６との係止が検出され、再び撮像モードが設定される。即ち、この実施の形態に係るカメラにおいては、投影レンズ室２５０を第１の位置から第２の位置へ移動させると、投影モードが設定されて画像の投影を行うことができ、投影レンズ室２５０を第２の位置から第１の位置へ移動させると、撮像モードが設定されて画像の撮影を行うことができる。
【００３８】
この第３の実施の形態に係るカメラによれば、画像の投影を行うときに装置本体から突出し、画像の投影を行わないときには装置本体内に収納される投影レンズ室を有するプロジェクタユニットを備えているため、装置本体内部を省スペース化できる。また、投影レンズ室を第２の位置へ移動させると投影モードが選択され、投影レンズ室を第１の位置へ移動させると撮像モードが選択されるため、カメラの操作をより簡便にすることができる。また、投影レンズ室が画像の投影方向を偏向するプリズムを備えていないため、プロジェクタユニットの構造をより小型化することができる。
【００３９】
上述した実施の形態では、撮像装置としてカメラを例にしているが、例えばカメラ機能付き携帯電話等の他の電子機器や撮像装置であってもよい。また、上述の実施の形態においては、モード切り替えを行うモード切替スイッチをカメラ本体に設けているが、カメラ本体背面のＬＣＤパネルに表示されるメニュー画面において、モード切り替えを行えるようにしてもよい。
【図面の簡単な説明】
【００４０】
【図１】本発明の第１の実施の形態に係るカメラの外観を示す斜視図である。
【図２】本発明の第１の実施の形態に係るカメラの画像投影時の外観を示す斜視図である。
【図３】本発明の第１の実施の形態に係るカメラの背面の構成を示す図である。
【図４】本発明の第１の実施の形態に係るカメラの内部に収納された各ユニットの配置を示す正面図である。
【図５】本発明の第１の実施の形態に係るプロジェクタユニットにおいて画像の投影を行わないときの構成を示す断面図である。
【図６】本発明の第１の実施の形態に係るプロジェクタユニットの画像投影時の構成を示す断面図である。
【図７】本発明の第１の実施の形態に係るカメラのシステム構成を示すブロック構成図である。
【図８】本発明の第１の実施の形態に係るカメラの使用時に実行される処理を示すフローチャートである。
【図９】本発明の第２の実施の形態に係るプロジェクタユニットにおいて画像の投影を行わないときの構成を示す断面図である。
【図１０】本発明の第２の実施の形態に係るプロジェクタユニットの画像投影時の構成を示す断面図である。
【図１１】本発明の第３の実施の形態に係るカメラの外観を示す斜視図である。
【図１２】本発明の第３の実施の形態に係るカメラの画像投影時の外観を示す斜視図である。
【図１３】本発明の第３の実施の形態に係るプロジェクタユニットにおいて画像の投影を行わないときの構成を示す断面図である。
【図１４】本発明の第３の実施の形態に係るプロジェクタユニットの画像投影時の構成を示す断面図である。
【符号の説明】
【００４１】
２，２００…カメラ、４，２０４…筐体、１４…モード切替スイッチ、２８，１２８，２２８…プロジェクタユニット、３４…光源室、５０，２５０…投影レンズ室、５４，２５４…投影レンズ、５８，２５８…投影窓、６０…ラック、６２…駆動モータ、６４…ピニオンギア、７０，２７０…スプリング、７６，２７６…係止爪、７８，２７８…係止凹部、１００…主制御部、１１０…移動機構駆動部、１２０…投影制御部、１３０…撮像制御部
【図１】
2009284279.tif 000003
【図２】
2009284279.tif 000004
【図３】
2009284279.tif 000005
【図４】
2009284279.tif 000006
【図５】
2009284279.tif 000007
【図６】
2009284279.tif 000008
【図７】
2009284279.tif 000009
【図８】
2009284279.tif 000010
【図９】
2009284279.tif 000011
【図１０】
2009284279.tif 000012
【図１１】
2009284279.tif 000013
【図１２】
2009284279.tif 000014
【図１３】
2009284279.tif 000015
【図１４】
2009284279.tif 000016